(57)【要約】【課題】通信システムにおいて、良好な無線通信路の状態よりも更に良好な無線通信路の状態となった場合に、より多くの情報を送信することができる送信機を提供する。【解決手段】送信機は、第一の変調部と、第二の変調部と、重畳部と、送信部と、振幅調節部と、を備える。前記第一の変調部は、第一のベースバンド信号に基づいて搬送波を多値変調して主波を生成する。前記第二の変調部は、第二のベースバンド信号に基づいて前記搬送波を多値変調して第一の副波を生成する。前記重畳部は、前記主波と前記第一の副波を重畳して重畳波を生成する。前記送信部は、前記重畳波を受信機に無線で送信する。前記振幅調節部は、前記重畳波から前記主波が前記受信機で復調できるように、前記重畳部に入力される前記第一の副波の振幅を調節する。【選択図】図１
2016001811.tif 000002
【特許請求の範囲】
【請求項１】
第一のベースバンド信号に基づいて搬送波を多値変調して主波を生成する第一の変調部と、
第二のベースバンド信号に基づいて前記搬送波を多値変調して第一の副波を生成する第二の変調部と、
前記主波と前記第一の副波を重畳して重畳波を生成する重畳部と、
前記重畳波を受信機に無線で送信する送信部と、
前記重畳波から前記主波が前記受信機で復調できるように、前記重畳部に入力される前記第一の副波の振幅を調節する振幅調節部と、
を備える送信機。
【請求項２】
前記第一の変調部は、前記第一のベースバンド信号に基づいて搬送波を更に振幅変調して主波を生成し、
前記第二の変調部は、前記第二のベースバンド信号に基づいて搬送波を更に振幅変調し第一の副波を生成する
請求項１に記載の送信機。
【請求項３】
第ｍの変調部は、第ｍのベースバンド信号に基づいて搬送波を多値変調して第ｍ−１の副波を生成し、
前記振幅調節部は、第ｎの副波と第ｎ＋１の副波が重畳されても前記第ｎのベースバンド信号に受信機で復調できる振幅に前記第ｎ＋１の副波の振幅を調節する、
前記ｍが２以上の整数であり、ｎが１〜ｍ−１のそれぞれの整数である
請求項１または請求項２に記載の送信機。
【請求項４】
第ｍの変調部は、第ｍのベースバンド信号における第ｎの副波伝送信号に基づいて搬送波を振幅変調して更に第ｎの副波を生成し、ベースバンドの第ｎ＋１のベースバンド信号に基づいて搬送波を振幅変調し第ｎ＋１の副波を生成する、
前記ｍが２以上の整数であり、ｎが１〜ｍ−１のそれぞれの整数である
請求項１から請求項３の何れか一項に記載の送信機。
【請求項５】
通信路特性が良い場合に、前記第一の変調部が変調した主波に、前記振幅調節部が調節したｎが１〜ｍ−１の整数であり、前記ｍが２以上の整数である第ｎの副波を重畳して合成波を生成する合成波生成部
を備える請求項１から請求項４の何れか一項に記載の送信機。
【請求項６】
第一の変調部が変調した主波と第二の変調部が変調した副波との合成波から第一のベースバンド信号に復調する復調部と、
前記復調部が復調した前記第一のベースバンド信号に基づいて前記主波を生成する主波再生部と、
を備える受信機。
【請求項７】
前記主波再生部が推定した前記主波を前記主波と副波との合成波から減じ、副波を生成する副波生成部
を備える請求項６に記載の受信機。
【請求項８】
請求項１から請求項５の何れか一項に記載の送信機と、
請求項６または請求項７に記載の受信機と、
を備える通信システム。
【請求項９】
第一のベースバンド信号に基づいて搬送波を多値変調して主波を生成し、
第二のベースバンド信号に基づいて前記搬送波を多値変調して第一の副波を生成し、
重畳波から前記主波が受信機で復調できるように、重畳部に入力される前記第一の副波の振幅を調節し、
前記主波と前記第一の副波を重畳して前記重畳波を生成し、
前記重畳波を受信機に無線で送信する通信方法。
【請求項１０】
送信機のコンピュータを、
第一のベースバンド信号に基づいて搬送波を多値変調して主波を生成する第一の変調手段と、
第二のベースバンド信号に基づいて前記搬送波を多値変調して第一の副波を生成する第二の変調手段と、
前記主波と前記第一の副波を重畳して重畳波を生成する重畳手段と、
前記重畳波を受信機に無線で送信する送信手段と、
前記重畳波から前記主波が前記受信機で復調できるように、前記重畳手段により入力される前記第一の副波の振幅を調節する振幅調節手段
として機能させるプログラム。
【発明の詳細な説明】
【技術分野】
【０００１】
本発明は、送信機、受信機、通信システム、通信方法、及びプログラムに関する。
【背景技術】
【０００２】
変調機能を有する送信側の通信装置は、可能な限り多くの情報を同時に送信できる変調方式を用いて通信を行うことが望まれる。
特許文献１〜特許文献３には、関連する技術として、２つの信号を伝送する伝送方式に関する技術が記載されている。
【先行技術文献】
【特許文献】
【０００３】
【特許文献１】特開平１１−２７２１３号公報
【特許文献２】特開２０００−１６５３３９号公報
【特許文献３】特公昭６３−２２１０４号公報
【発明の概要】
【発明が解決しようとする課題】
【０００４】
ところで、デジタル無線通信方式で通信を行う通信システムにおいて、送信側の通信装置は、１つまたは複数の多値変調方式の変調機能を有するものとする。また、受信側の通信装置は、送信側の通信装置が送信した信号を復調するものとする。
この通信システムにおいて、送信側の通信装置が用いる多値変調方式による多値数が大きくなるにつれ、通信路における雑音に対する耐性が低下する。そのため、受信側の通信装置は、送信側の通信装置が用いる多値変調方式による多値数が大きくなるにつれ、また、通信路における雑音が多くなるにつれ、送信側の通信装置から受信した信号を復調することが困難になる。
ここで上述したように、送信側の通信装置が有する複数の変調方式のうち最も大きい多値数の変調方式を用いて通信を行った場合、受信側の通信装置は、良好な無線通信路の状態Ｆ１であれば受信した信号を正常に復調できる。
しかしながら、そのような良好な無線通信路の状態Ｆ１よりも更に良好な無線通信路の状態Ｆ２となった場合には、それ以上の多値数の変調方式を送信側の通信装置は有していないため、当該更に良好な無線通信路の状態Ｆ２に適した、より大きい多値数の変調方式を選択してその変調方式を用いて信号を送信することができない。
【０００５】
そこでこの発明は、上記の課題を解決することのできる送信機、受信機、通信システム、通信方法、及びプログラムを提供することを目的としている。
【課題を解決するための手段】
【０００６】
上記目的を達成するために、本発明は、第一のベースバンド信号に基づいて搬送波を多値変調して主波を生成する第一の変調部と、第二のベースバンド信号に基づいて前記搬送波を多値変調して第一の副波を生成する第二の変調部と、前記主波と前記第一の副波を重畳して重畳波を生成する重畳部と、前記重畳波を受信機に無線で送信する送信部と、前記重畳波から前記主波が前記受信機で復調できるように、前記重畳部に入力される前記第一の副波の振幅を調節する振幅調節部と、を備える送信機である。
【０００７】
また本発明は、第一の変調部が変調した主波と第二の変調部が変調した副波との合成波から第一のベースバンド信号に復調する復調部と、前記復調部が復調した前記第一のベースバンド信号に基づいて前記主波を生成する主波再生部と、を備える受信機である。
【０００８】
また本発明は、少なくとも前記送信機と、前記受信機と、を備える通信システムである。
【０００９】
また本発明は、第一のベースバンド信号に基づいて搬送波を多値変調して主波を生成し、第二のベースバンド信号に基づいて前記搬送波を多値変調して第一の副波を生成し、重畳波から前記主波が受信機で復調できるように、重畳部に入力される前記第一の副波の振幅を調節し、前記主波と前記第一の副波を重畳して前記重畳波を生成し、前記重畳波を受信機に無線で送信する通信方法である。
【００１０】
また本発明は、送信機のコンピュータを、第一のベースバンド信号に基づいて搬送波を多値変調して主波を生成する第一の変調手段と、第二のベースバンド信号に基づいて前記搬送波を多値変調して第一の副波を生成する第二の変調手段と、前記主波と前記第一の副波を重畳して重畳波を生成する重畳手段と、前記重畳波を受信機に無線で送信する送信手段と、前記重畳波から前記主波が前記受信機で復調できるように、前記重畳手段により入力される前記第一の副波の振幅を調節する振幅調節手段として機能させるプログラムである。
【発明の効果】
【００１１】
本発明によれば、通信システムにおいて、良好な無線通信路の状態よりも更に良好な無線通信路の状態となった場合に、より多くの情報を送信することができる。
【図面の簡単な説明】
【００１２】
【図１】本発明の送信機１０の最小構成の一例を示す図である。
【図２】本発明の第一の実施形態による送信機１０を備える通信システム１の構成の一例を示す図である。
【図３】本発明の第一の実施形態による通信システム１が備える送信機１０の変調時および受信機２０の復調時の信号波のイメージの一例を示す図である。
【図４】本発明の第一の実施形態による通信システム１が備える送信機１０の処理フローの一例を示す図である。
【図５】本発明の第一の実施形態による通信システム１が備える受信機２０の処理フローの一例を示す図である。
【図６】本発明の第二の実施形態による送信機１０を備える通信システム１の構成の一例を示す図である。
【図７】本発明の第二の実施形態による通信システム１が備える送信機１０の変調時および受信機２０の復調時の信号波のイメージの一例を示す図である。
【図８】本発明の第二の実施形態による通信システム１が備える送信機１０の処理フローの一例を示す図である。
【図９】本発明の第二の実施形態による通信システム１が備える受信機２０の処理フローの一例を示す図である。
【図１０】本発明の第三の実施形態による通信システム１が備える送信機１０の変調時および受信機２０の復調時の信号波のイメージの一例を示す図である。
【発明を実施するための形態】
【００１３】
図１は、本発明の送信機１０の最小構成の一例を示す図である。
本発明の送信機１０は、図１で示すように、少なくとも第一の変調部１０１ａと、第二の変調部１０１ｂと、振幅調節部１０２と、重畳部１０３と、送信部１０４と、を備える。
第一の変調部１０１ａは、第一のベースバンド信号に基づいて搬送波を多値変調して主波を生成する。
第二の変調部１０１ｂは、第二のベースバンド信号に基づいて搬送波を多値変調して第一の副波を生成する。
振幅調節部１０２は、重畳波から主波が受信機で復調できるように、重畳部１０３に入力される第一の副波の振幅を調節する。
重畳部１０３は、主波と第一の副波を重畳して重畳波を生成する。
送信部１０４は、重畳波を受信機に無線で送信する。
【００１４】
＜第一の実施形態＞
図２は、本発明の第一の実施形態による送信機１０を備える通信システム１の構成の一例を示す図である。
図２で示すように、第一の実施形態による通信システム１は、送信機１０と、受信機２０とを備える。
送信機１０は、変調部１０１と、Ｃ／Ｉ調節部（振幅調節部）１０２と、合成波生成部（重畳部）１０３と、無線送信部（送信部）１０４と、無線受信部（受信部）１０５とを備える。
受信機２０は、復調部２０１と、主波再生部２０２と、副波生成部２０３と、無線送信部２０４と、無線受信部２０５とを備える。
【００１５】
送信機１０が備える変調部１０１は、主波伝送信号（第一のベースバンド信号）に基づいて搬送波を多値変調して主波を生成する主変調部（第一の変調部）１０１ａを備える。また、変調部１０１は、第一の副波伝送信号（第二のベースバンド信号）に基づいて搬送波を多値変調し第一の副波を生成する副変調部（第二の変調部）１０１ｂを備える。
【００１６】
Ｃ／Ｉ調節部１０２は、無線受信部１０５が受信機２０から受信する通信路特性に関する情報に基づき、主波に第一の副波と雑音とが重畳されても主波伝送信号に受信機２０が復調できる振幅に第一の副波の振幅を調節する。例えば、主波に適用した多値変調方式におけるＣ／Ｉの許容上限値が２８デシベルである場合、第一の副波は主波の振幅を基準として−２８デシベル以下の振幅に抑える必要がある（条件１）。また、Ｃ／Ｉ調節部１０２が調節した第一の副波の振幅は、第一の副波に雑音が重畳されても第一の副波伝送信号に受信機２０が復調できる振幅である必要がある。例えば、第一の副波に適用した多値変調方式におけるＣ／Ｉの許容上限値が２０デシベルである場合、主波の振幅の−２８デシベル以下に抑えた第一の副波の振幅は、雑音振幅の２０デシベル以上の振幅である必要がある（条件２）。なお、第一の副波としてそれら２つの条件を両立する振幅が存在しない場合、主波に第一の副波を重畳した合成波（重畳波）を受信機２０に送信しても、受信機２０は、合成波から第一の副波に復調することができない。
【００１７】
合成波生成部１０３は、通信路特性が良い場合に、主変調部１０１ａが変調した主波に、Ｃ／Ｉ調節部１０２が調節した第一の副波を重畳して合成波を生成する。
無線送信部１０４は、合成波生成部１０３が生成した合成波（通信路特性が悪い場合には主波のみ）を受信機２０に送信する。
無線受信部１０５は、受信機２０が送信した電波を受信する。
【００１８】
受信機２０が備える無線受信部２０５は、送信機１０が備える無線送信部１０４が送信した合成波を受信する。無線受信部２０５は、受信した合成波を復調部２０１と副波生成部２０３に出力する。また、無線受信部２０５は、受信した合成波に基づいて、通信路特性が良いか否かを判定し、判定結果を無線送信部２０４に出力する。
【００１９】
無線送信部２０４は、無線受信部２０５が判定した通信路特性の判定結果を入力する。無線送信部２０４は、入力した判定結果を送信機１０に送信する。
復調部２０１が備える主復調部２０１ａは、無線受信部２０５から入力した合成波から主波伝送信号を生成する。主復調部２０１ａは、生成した主波伝送信号を主波再生部２０２に出力する。
【００２０】
主波再生部２０２は、主復調部２０１ａから入力した主波伝送信号から主波（再生信号）を生成する。主波再生部２０２は、生成した主波（再生信号）を副波生成部２０３に出力する。
副波生成部２０３は、無線受信部２０５から入力した合成波から、主波再生部２０２から入力した主波（再生信号）を減じる。副波生成部２０３は、減じて生成された信号波を復調部２０１が備える副復調部２０１ｂに出力する。
副復調部２０１ｂは、副波生成部２０３から入力した信号波から第一の副波伝送信号を生成する。
【００２１】
図３は、本発明の第一の実施形態による通信システム１が備える送信機１０の変調時および受信機２０の復調時の信号波のイメージの一例を示す図である。
図３において台形で示される信号の高さは振幅を示す。また、台形で示される信号の横幅は占有周波数帯域を示す。ただし、図３における振幅と占有周波数帯域のそれぞれは、イメージであり、正確な信号波形を示すものではない。
送信機１０は、デジタル信号の主波伝送信号を変調してアナログ信号の主波を生成する。送信機１０は、デジタル信号の第一の副波伝送信号を変調してアナログ信号の第一の副波を生成する。送信機１０は、受信機２０で主波を復調する際に雑音とみなせる振幅に第一の副波の振幅を調整する。振幅調整後の第一の副波の振幅は、送信機１０から受信機２０に送信された信号に雑音が重畳されても受信機２０が第一の副波を復調できる振幅でもある。送信機１０は、主波に振幅調整後の第一の副波を重畳する。送信機１０は、主波に振幅調整後の第一の副波を重畳した信号を受信機２０に送信する。
受信機２０は、送信機１０から主波に振幅調整後の副波を重畳した信号を受信する。受信機２０が受信した信号には雑音が重畳されている。受信機２０は、送信機１０から受信した信号を復調し、主波伝送信号を生成する。受信機２０は、生成した主波伝送信号に基づいて、生成した主波伝送信号を変調した主波を再生する。受信機２０は、送信機１０から受信した信号から再生した主波を減じて第一の副波と雑音とから成る信号を生成する。受信機２０は、第一の副波と雑音とから成る信号を復調し、第一の副波伝送信号を生成する。
【００２２】
図４は、本発明の第一の実施形態による通信システム１が備える送信機１０の処理フローの一例を示す図である。
図５は、本発明の第一の実施形態による通信システム１が備える受信機２０の処理フローの一例を示す図である。
次に、図４と図５とを用いて、第一の実施形態による通信システム１の処理についてより詳細に説明する。
なお、送信機１０が備える合成波生成部１０３は、主波に第一の副波を重畳した合成波を生成する。無線送信部１０４は、合成波生成部１０３が生成した合成波を受信機２０に送信する。また、変調部１０１は、デジタル値を示すデジタル信号をＰＳＫ（Ｐｈａｓｅ  Ｓｈｉｆｔ  Ｋｅｙｉｎｇ）やＱＡＭ（Ｑｕａｄｒａｔｕｒｅ  Ａｍｐｌｉｔｕｄｅ  Ｍｏｄｕｌａｔｉｏｎ；直交振幅変調）といった多値変調方式でアナログ信号に変換する変調方式を有し、通信路特性に基づいて変調方式を変更するＡＭＲ（Ａｄａｐｔｉｖｅ  Ｍｏｄｕｌａｔｉｏｎ  Ｒａｄｉｏ）により複数の変調方式の中から可能な限り大きな多値数となる変調方式で変調するものとする。また、通信システム１が行う通信では、情報はフレーム単位で送信されるものである。
【００２３】
まず、図４で示す送信機１０の処理について説明する。
第一の実施形態による通信システム１において、主変調部１０１ａは、主波伝送信号を入力する。また、副変調部１０１ｂは、第一の副波伝送信号を入力する（ステップＳ１）。
すると、変調部１０１は、Ｃ／Ｉ調節部１０２を介して、無線受信部１０５が受信機２０から受信するＣ／Ｉ比や雑音レベルなどで示される通信路特性を取得する。また、変調部１０１は、例えば送信機１０の備える記憶部が記憶しているＡＭＲの設定を参照する。そして、変調部１０１は、Ｃ／Ｉ調節部１０２を介して取得した通信路特性に対して、主変調部１０１ａの多値変調方式の設定が複数の多値変調方式の中から可能な限り大きな多値数となる変調方式に設定されているか否かを判定する（ステップＳ２）。変調部１０１が行うこの判定は、無線受信部１０５が受信するＣ／Ｉ比や雑音レベルと、そのＣ／Ｉ比や雑音レベルに対して通信可能な多値変調方式と最大多値数とが関連付けられたデータテーブルが記憶部に記録されており、そのデータテーブルに基づいて行えばよい。例えば、変調部１０１は、通信路特性の示すＣ／Ｉ比や雑音レベルが記憶部の記憶するデータテーブルにおけるＣ／Ｉ比や雑音レベルの基準を満たす多値変調方式を選び出す。変調部１０１は、選び出した多値変調方式の中から最大多値数であるものを特定する。変調部１０１は、現在設定されている多値変調方式と最大多値数の組み合わせと、特定した多値変調方式と最大多値数の組み合わせとが一致したと判定した場合に複数の多値変調方式の中から可能な限り大きな多値数となる変調方式に設定されていると判定する。
【００２４】
変調部１０１は、取得した通信路特性に対して、主変調部１０１ａの多値変調方式の設定が複数の多値変調方式の中から可能な限り大きな多値数となる変調方式に設定されていないと判定した場合（ステップＳ２、ＮＯ）、複数の多値変調方式の中から可能な限り大きな多値数となる変調方式に設定されるように変調部１０１が特定する最大多値数が示す変調方式を記憶部から読み出し、主変調部１０１ａの多値変調方式の設定を変更する（ステップＳ３）。
また、変調部１０１は、取得した通信路特性に対して、主変調部１０１ａの多値変調方式の設定が複数の多値変調方式の中から可能な限り大きな多値数となる変調方式に設定されていると判定した場合（ステップＳ２、ＹＥＳ）、取得した通信路特性が、主変調部１０１ａの多値変調方式の設定が複数の多値変調方式に対して予め設定した通信路特性のしきい値よりも良いか否かを判定する（ステップＳ４）。変調部１０１が判定に用いる予め設定した通信路特性のしきい値は、主波の多値変調方式と第一の副波の多値変調方式とを組み合わせて通信を行う際に必要となる通信路特性に基づいて決定される。すなわち、予め設定した通信路特性のしきい値は、主波に第一の副波を重畳した場合に主波に受信機２０が復調でき、かつ、第一の副波に受信機２０が復調できると判定するためのしきい値である。なお、予め設定した通信路特性のしきい値は、主波の多値変調方式と、第一の副波の多値変調方式と、通信路特性とに関連付けられており、それらの様々な組み合わせをデータテーブルとして記憶部に記録されている。
【００２５】
変調部１０１は、取得した通信路特性が予め設定した通信路特性のしきい値よりも良くない（悪い）と判定した場合（ステップＳ４、ＮＯ）、主変調部１０１ａは主波伝送信号に基づいて搬送波を変調し主波を生成する（ステップＳ５）。そして、主変調部１０１ａは、主波を合成波生成部１０３に出力し、副変調部１０１ｂは、第一の副波として情報を持たない振幅がゼロのゼロ信号をＣ／Ｉ調節部１０２に出力する（ステップＳ６）。そして、後述するステップＳ１２の処理を行う。
【００２６】
変調部１０１は、取得した通信路特性が予め設定した通信路特性のしきい値よりも良いと判定した場合（ステップＳ４、ＹＥＳ）、取得した通信路特性に対して、副変調部１０１ｂの多値変調方式の設定が複数の多値変調方式の中から可能な限り大きな多値数となる多値変調方式に設定されているか否かを判定する（ステップＳ７）。例えば、変調部１０１は、記憶部が記憶する予め設定した通信路特性のしきい値と、主波の多値変調方式と、第一の副波の多値変調方式と、通信路特性との組み合わせを示す前述のデータテーブルを用いて、ステップＳ２と同様の処理を行い判定すればよい。
【００２７】
変調部１０１は、取得した通信路特性に対して、副変調部１０１ｂの多値変調方式の設定が複数の多値変調方式の中から可能な限り大きな多値数となる変調方式に設定されていないと判定した場合（ステップＳ７、ＮＯ）、複数の多値変調方式の中から可能な限り大きな多値数となる変調方式に設定されるように副変調部１０１ｂの多値変調方式の設定を変更する（ステップＳ８）。
また、変調部１０１は、取得した通信路特性に対して、副変調部１０１ｂの多値変調方式の設定が複数の多値変調方式の中から可能な限り大きな多値数となる変調方式に設定されていると判定した場合（ステップＳ７、ＹＥＳ）、主変調部１０１ａは主波伝送信号に基づいて搬送波を変調し主波を生成し、副変調部１０１ｂは第一の副波伝送信号に基づいて搬送波を変調し第一の副波を生成する（ステップＳ９）。そして、主変調部１０１ａは、生成した主波を合成波生成部１０３に出力する。また、副変調部１０１ｂは、生成した第一の副波と、複数の多値変調方式の中から可能な限り大きな多値数となる変調方式に設定されていると特定した、主波の多値変調方式と、第一の副波の多値変調方式と、通信路特性との組み合わせとをＣ／Ｉ調節部１０２に出力する。
【００２８】
Ｃ／Ｉ調節部１０２は、副変調部１０１ｂから第一の副波と、複数の多値変調方式の中から可能な限り大きな多値数となる変調方式に設定されていると特定した主波の多値変調方式と第一の副波の多値変調方式と通信路特性との組み合わせとを入力すると、入力した主波の多値変調方式と第一の副波の多値変調方式と通信路特性との組み合わせに基づいて、入力した第一の副波の振幅を調節する（ステップＳ１０）。ここでＣ／Ｉ調節部１０２が調節する振幅は、例えば、通信における多値変調方式がＱＡＭの場合、受信機２０が復調する時にコンステレーションによって示される隣り合うデータ点配置とならない振幅である。なお、Ｃ／Ｉ調節部１０２が行うコンステレーションによって示される隣り合うデータ点配置とならないための振幅調節は、入力した主波の多値変調方式と第一の副波の多値変調方式と通信路特性との組み合わせにより例えばゲインを変更することで可能となる。Ｃ／Ｉ調節部１０２は、調節した第一の副波を合成波生成部１０３に出力する。
【００２９】
合成波生成部１０３は、Ｃ／Ｉ調節部１０２から調節した第一の副波を入力すると、調節した第一の副波を主変調部１０１ａから入力した主波に重畳し、合成波を生成する（ステップＳ１１）。合成波生成部１０３は、生成した合成波を無線送信部１０４に出力する。
無線送信部１０４は、合成波生成部１０３から合成波を入力すると、入力した合成波を受信機２０に送信する（ステップＳ１２）。
【００３０】
また、ステップＳ６の処理の後、Ｃ／Ｉ調節部１０２は、副変調部１０１ｂからゼロ信号を入力すると、入力したゼロ信号を合成波生成部１０３に出力する。
合成波生成部１０３は、Ｃ／Ｉ調節部１０２からゼロ信号を入力すると、そのゼロ信号を主変調部１０１ａから入力した主波に重畳し、合成波を生成する（ステップＳ１１）。合成波生成部１０３は、生成した合成波を無線送信部１０４に出力する。そして、ステップＳ１２の処理を行う。
以上が、通信システム１が備える送信機１０が行う処理である。
このようにすれば、第一の実施形態による送信機１０を備える通信システム１において、良好な無線通信路の状態よりも更に良好な無線通信路の状態となった場合に、より多くの情報を送信することができる。
【００３１】
次に、図５で示す受信機２０の処理について説明する。
受信機２０が備える無線受信部２０５は、送信機１０が備える無線送信部１０４から調節した第一の副波を主変調部１０１ａから入力した主波に重畳した合成波を入力する（ステップＳ２１）。
【００３２】
無線受信部２０５は、受信機２０から合成波を受信すると、受信した合成波に基づいて求めたＣ／Ｉ比や雑音レベルなどで示される通信路特性を無線送信部２０４に出力する。
無線送信部２０４は、無線受信部２０５から通信路特性を入力すると、入力した通信路特性を送信機１０に送信する（ステップＳ２２）。
【００３３】
また、無線受信部２０５は、主変調部１０１ａから合成波を入力すると、入力した合成波を復調部２０１が備える主復調部２０１ａと副波生成部２０３とに出力する。
主復調部２０１ａは、無線受信部２０５から合成波を入力すると、入力した合成波から主波伝送信号に復調する（ステップＳ２３）。そして、主復調部２０１ａは、復調した主伝送信号を後段装置や主波再生部２０２に出力する。
主波再生部２０２は、主復調部２０１ａから主波伝送信号を入力すると、入力した主波伝送信号に基づいて、変調後の主波を生成する（ステップＳ２４）。なお、ここで主波再生部２０２が生成する主波は、主復調部２０１ａが復調した主波伝送信号を理想的な変調を行ったものとして算出した主波であってもよい。また、ここで主波再生部２０２が生成する主波は、主復調部２０１ａが送信機１０の備える主変調部１０１ａと同様に変調した主波であってもよい。そして、主波再生部２０２は、生成した主波を副波生成部２０３に出力する。
【００３４】
副波生成部２０３は、主波再生部２０２から生成した主波を入力すると、無線受信部２０５から入力した合成波から、主波再生部２０２が生成した主波を減じ、第一の副波と雑音とを生成する（ステップＳ２５）。そして、副波生成部２０３は、生成した第一の副波と雑音とを後段装置や復調部２０１が備える副復調部２０１ｂに出力する。
副復調部２０１ｂは、副波生成部２０３から第一の副波と雑音とを入力すると、入力した第一の副波と雑音とから第一の副波伝送信号に復調する（ステップＳ２６）。
以上が、通信システム１が備える受信機２０が行う処理である。
このようにすれば、第一の実施形態による送信機１０を備える通信システム１において、良好な無線通信路の状態よりも更に良好な無線通信路の状態となった場合に、より多くの情報を受信することができる。
【００３５】
以上、本発明の第一の実施形態による送信機１０、受信機２０、通信システム１の処理について説明した。上述の送信機１０を備える通信システム１によれば、主変調部１０１ａは、主波伝送信号に基づいて搬送波を多値変調して主波を生成する。副変調部１０１ｂは、第一の副波伝送信号に基づいて搬送波を多値変調し第一の副波を生成する。Ｃ／Ｉ調節部１０２は、合成波から主波が受信機２０で復調できるように、合成波生成部１０３に入力される第一の副波の振幅を調節する。合成波生成部１０３は、主波と第一の副波を重畳して合成波を生成する。無線送信部１０４は、合成波を受信機に無線で送信する。こうすることにより、良好な無線通信路の状態よりも更に良好な無線通信路の状態となった場合に、より多くの情報を送信することができる。また、上述の受信機２０を備える通信システム１によれば、主復調部２０１ａは、主変調部１０１ａが変調した主波と副変調部１０１ｂが変調した第一の副波との合成波から主波伝送信号に復調する。主波再生部２０２は、主復調部２０１ａが復調した主波伝送信号に基づいて主波を生成する。副波生成部２０３は、送信機１０から受信した信号から再生した主波を減じて第一の副波と雑音とから成る信号を生成する。副復調部２０１ｂは、第一の副波と雑音とから成る信号を復調し、第一の副波伝送信号を生成する。こうすることにより、良好な無線通信路の状態よりも更に良好な無線通信路の状態となった場合に、より多くの情報を受信することができる。
【００３６】
なお、上述の通信システム１は、ステップＳ３やステップＳ８の処理が示すように通信路特性に基づいて変調方式を変更するＡＭＲにより複数の多値変調方式の中から可能な限り大きな多値数となる変調方式で変調するものとして説明した。しかしながら、必ずしもＡＭＲにより複数の多値変調方式の中から可能な限り大きな多値数となる変調方式で変調する必要はない。ただし、ＡＭＲにより複数の多値変調方式の中から可能な限り大きな多値数となる変調方式で変調しない場合、通信システム１は、伝送可能な最大変調多値数が固定となり、通信路特性が悪い場合にはＰＳＫやＱＡＭなど最初に定めた通常の変調方式で情報を送信することになる。
【００３７】
＜第二の実施形態＞
図６は、本発明の第二の実施形態による送信機１０を備える通信システム１の構成の一例を示す図である。
次に、図６を用いて、第二の実施形態による通信システム１について説明する。
【００３８】
図６で示すように、第二の実施形態による通信システム１は、図２で示した第一の実施形態による通信システム１における副復調部２０１ｂの代わりに第一副復調部２０１ｃを備える。また、第二の実施形態による通信システム１は、第一の実施形態による通信システム１における副波生成部２０３の代わりに第一の副波生成部２０３ａを備える。更に、第二の実施形態による通信システム１は、第一の実施形態による通信システム１に加え、第二副復調部２０１ｄと、第二の副波生成部２０３ｂと、第一副波再生部２０６とを備える。
【００３９】
また、第二の実施形態による通信システム１における機能部は、第一の実施形態による通信システム１における機能部と異なる機能を有する。
副変調部１０１ｂは、第一の副波伝送信号に基づいて搬送波を多値変調し第一の副波を生成する。また、副変調部１０１ｂは、第二の副波伝送信号（第三のベースバンド信号）に基づいて搬送波を多値変調し第二の副波を生成する。
【００４０】
第一の副波生成部２０３ａは、無線受信部２０５から入力した合成波から、主波再生部２０２から入力した主波（再生信号）を減じる。第一の副波生成部２０３ａは、減じて生成された信号波を第一副復調部２０１ｃに出力する。
第一副復調部２０１ｃは、第一の副波生成部２０３ａから入力した信号波から、第一の副波伝送信号に復調する。第一副復調部２０１ｃは、第一の副波伝送信号を後段装置や第一副波再生部２０６に出力する。
【００４１】
第一副波再生部２０６は、第一副復調部２０１ｃから入力した第一の副波伝送信号から第一の副波を生成する。第一副波再生部２０６は、生成した第一の副波を第二の副波生成部２０３ｂに出力する。
第二の副波生成部２０３ｂは、第一の副波生成部２０３ａから入力した合成波（第一の副波と第二の副波と雑音）から、第一副波再生部２０６から入力した第一の副波を減じる。第二の副波生成部２０３ｂは、減じて生成された信号波を第二副復調部２０１ｄに出力する。
第二副復調部２０１ｄは、第二の副波生成部２０３ｂから入力した信号波から、第二の副波伝送信号に復調する。第二副復調部２０１ｄは、第二の副波伝送信号を後段装置に出力する。
【００４２】
図７は、本発明の第二の実施形態による通信システム１が備える送信機１０の変調時および受信機２０の復調時の信号波のイメージの一例を示す図である。
送信機１０は、デジタル信号の主波伝送信号を変調してアナログ信号の主波を生成する。送信機１０は、デジタル信号の第一の副波伝送信号を変調してアナログ信号の第一の副波を生成する。送信機１０は、受信機２０で主波を復調する際に雑音とみなせる振幅に第一の副波の振幅を調整する。送信機１０は、受信機２０で第一の副波を復調する際に雑音とみなせる振幅に第二の副波の振幅を調整する。振幅調整後の第二の副波の振幅は、送信機１０から受信機２０に送信された信号に雑音が重畳されても受信機２０が第二の副波を復調できる振幅でもある。送信機１０は、主波に振幅調整後の第一の副波を重畳する。送信機１０は、主波に振幅調整後の第一の副波と第二の副波とを重畳した信号を受信機２０に送信する。
受信機２０は、送信機１０から主波に振幅調整後の第一の副波と第二の副波とを重畳した信号を受信する。受信機２０が受信した信号には雑音が重畳されている。受信機２０は、送信機１０から受信した信号を復調し、主波伝送信号を生成する。受信機２０は、生成した主波伝送信号に基づいて、生成した主波伝送信号を変調した主波を再生する。受信機２０は、送信機１０から受信した信号から再生した主波を減じて第一の副波と第二の副波と雑音とから成る信号を生成する。受信機２０は、第一の副波と第二の副波と雑音とから成る信号を復調し、第一の副波伝送信号を生成する。受信機２０は、生成した第一の副波伝送信号に基づいて、生成した第一の副波伝送信号を変調した第一の副波を再生する。受信機２０は、第一の副波と第二の副波と雑音とから成る信号から再生した第一の副波を減じて第二の副波と雑音とから成る信号を生成する。受信機２０は、第二の副波と雑音とから成る信号を復調し、第二の副波伝送信号を生成する。
【００４３】
図８は、本発明の第二の実施形態による通信システム１が備える送信機１０の処理フローの一例を示す図である。
図９は、本発明の第二の実施形態による通信システム１が備える受信機２０の処理フローの一例を示す図である。
次に、図８と図９とを用いて、第二の実施形態による通信システム１の処理について説明する。
なお、第一の副波と第二の副波は、主波に重畳される。また、通信システム１は、デジタル値を示すデジタル信号をＰＳＫやＱＡＭといった多値変調方式でアナログ信号に変換する変調方式を有し、通信路特性に基づいて変調方式を変更するＡＭＲで変調するものとする。
ここでは、図４と図５で示した第一の実施形態による通信システム１の処理フローと異なる処理ステップであるステップＳ１ａ、Ｓ９ａ、Ｓ１０ａ、Ｓ１１ａ、Ｓ２１ａ、Ｓ２５ａ、Ｓ２６ａ、Ｓ２７、Ｓ２８、Ｓ２９について説明する。
【００４４】
まず、図８で示す送信機１０の処理について説明する。
第二の実施形態による通信システム１において、送信機１０の変調部１０１が備える主変調部１０１ａは、主波伝送信号を入力する。また、変調部１０１が備える副変調部１０１ｂは、第一の副波伝送信号と第二の副波伝送信号とを入力する（ステップＳ１ａ）。
【００４５】
変調部１０１は、取得した通信路特性に対して、副変調部１０１ｂの多値変調方式の設定が複数の多値変調方式の中から可能な限り大きな多値数となる変調方式に設定されていると判定した場合（ステップＳ７、ＹＥＳ）、主変調部１０１ａは主波伝送信号に基づいて搬送波を変調し主波を生成し、副変調部１０１ｂは第一の副波伝送信号に基づいて搬送波を変調し第一の副波を生成し、第二の副波伝送信号に基づいて搬送波を変調し第二の副波を生成する（ステップＳ９ａ）。そして、主変調部１０１ａは、生成した主波を合成波生成部１０３に出力する。また、副変調部１０１ｂは、生成した第一の副波と、生成した第二の副波と、複数の多値変調方式の中から可能な限り大きな多値数となる変調方式に設定されていると特定した、主波の多値変調方式と、第一の副波の多値変調方式と、通信路特性との組み合わせとをＣ／Ｉ調節部１０２に出力する。
【００４６】
Ｃ／Ｉ調節部１０２は、副変調部１０１ｂから第一の副波と第二の副波と複数の多値変調方式の中から可能な限り大きな多値数となる変調方式に設定されていると特定した主波の多値変調方式と第一の副波の多値変調方式と通信路特性との組み合わせとを入力すると、入力した主波の多値変調方式と第一の副波の多値変調方式と第二の副波の多値変調方式と通信路特性との組み合わせに基づいて、入力した第一の副波の振幅と第二の副波の振幅とを調節する（ステップＳ１０ａ）。ここでＣ／Ｉ調節部１０２が調節する振幅は、第一の実施形態と同様に例えば、通信における多値変調方式がＱＡＭの場合、復調時にコンステレーションによって示される隣り合うデータ点配置とならない振幅である。なお、Ｃ／Ｉ調節部１０２が行う復調時にコンステレーションによって示される隣り合うデータ点配置とならないための振幅調節は、入力した主波の多値変調方式と第一の副波の多値変調方式と第二の副波の多値変調方式と通信路特性との組み合わせにより可能である。Ｃ／Ｉ調節部１０２は、調節した第一の副波と第二の副波とを合成波生成部１０３に出力する。  
【００４７】
合成波生成部１０３は、Ｃ／Ｉ調節部１０２から調節した第一の副波と第二の副波とを入力すると、調節した第一の副波と調節した第二の副波とを主変調部１０１ａから入力した主波に重畳し、合成波を生成する（ステップＳ１１）。合成波生成部１０３は、生成した合成波を無線送信部１０４に出力する。
【００４８】
以上が、通信システム１が備える送信機１０が行う処理である。
このようにすれば、第二の実施形態による送信機１０を備える通信システム１において、良好な無線通信路の状態よりも更に良好な無線通信路の状態となった場合に、第一の実施形態による通信システム１よりも多くの情報を送信することができる。
【００４９】
次に、図９で示す受信機２０の処理について説明する。
受信機２０が備える無線受信部２０５は、送信機１０が備える無線送信部１０４から調節した第一の副波と調節した第二の副波とを主変調部１０１ａから入力した主波に重畳した合成波を入力する（ステップＳ２１）。
【００５０】
第一の副波生成部２０３ａは、主波再生部２０２から生成した主波を入力すると、無線受信部２０５から入力した合成波から、主波再生部２０２が生成した主波を減じ、第一の副波と第二の副波と雑音とを生成する（ステップＳ２５ａ）。そして、第一の副波生成部２０３ａは、生成した第一の副波と第二の副波と雑音とを復調部２０１が備える副復調部２０１ｂに出力する。
第一副復調部２０１ｃは、第一の副波生成部２０３ａから第一の副波と第二の副波と雑音とを入力すると、入力した第一の副波と第二の副波と雑音とから第一の副波伝送信号に復調する（ステップＳ２６ａ）。そして、第一副復調部２０１ｃは、復調した第一の副波伝送信号を第一副波再生部２０６に出力する。
【００５１】
第一副波再生部２０６は、第一副復調部２０１ｃから第一の副波伝送信号を入力すると、入力した第一の副波伝送信号に基づいて、変調後の第一の副波を生成する（ステップＳ２７）。なお、ここで第一副波再生部２０６が生成する第一の副波は、第一副復調部２０１ｃが復調した第一の副波伝送信号を理想的な変調を行ったものとして算出した第一の副波であってもよい。また、ここで第一副波再生部２０６が生成する第一の副波は、第一副復調部２０１ｃが送信機１０の備える主変調部１０１ａと同様に変調した第一の副波であってもよい。そして、第一副波再生部２０６は、生成した第一の副波を第二の副波生成部２０３ｂに出力する。
【００５２】
第二の副波生成部２０３ｂは、第一副波再生部２０６から生成した第一の副波を入力すると、第一の副波生成部２０３ａから入力した合成波から、第一副波再生部２０６が生成した第一の副波を減じ、第二の副波と雑音とを生成する（ステップＳ２８）。そして、第二の副波生成部２０３ｂは、生成した第二の副波と雑音とを復調部２０１が備える第二副復調部２０１ｄに出力する。
第二副復調部２０１ｄは、第二の副波生成部２０３ｂから第二の副波と雑音とを入力すると、入力した第二の副波と雑音とから第二の副波伝送信号に復調する（ステップＳ２９）。
以上が、通信システム１が備える受信機２０が行う処理である。
このようにすれば、第二の実施形態による送信機１０を備える通信システム１において、良好な無線通信路の状態よりも更に良好な無線通信路の状態となった場合に、第一の実施形態による通信システム１よりも多くの情報を受信することができる。
【００５３】
以上、本発明の第二の実施形態による送信機１０、受信機２０、通信システム１の処理について説明した。上述の送信機１０を備える通信システム１によれば、副変調部１０１ｂは、第二の副波伝送信号に基づいて搬送波を多値変調し第二の副波を生成する。Ｃ／Ｉ調節部１０２は、合成波から主波が受信機２０で復調できるように、合成波生成部１０３に入力される第二の副波の振幅を調節する。合成波生成部１０３は、主波と第一の副波と第二の副波とを重畳して合成波を生成する。無線送信部１０４は、合成波を受信機に無線で送信する。こうすることにより、良好な無線通信路の状態よりも更に良好な無線通信路の状態となった場合に、第一の実施形態による通信システム１よりも多くの情報を送信することができる。また、上述の受信機２０を備える通信システム１によれば、第一副復調部２０１ｃは、第一の副波と第二の副波と雑音とから第一の副波伝送信号に復調する。第一副波再生部２０６は、第一の副波伝送信号に基づいて、変調後の第一の副波を生成する。第二の副波生成部２０３ｂは、第一の副波と第二の副波と雑音とから成る信号から生成した第一の副波を減じて第二の副波と雑音とから成る信号を生成する。第二副復調部２０１ｄは、第二の副波と雑音とから成る信号を復調し、第二の副波伝送信号を生成する。こうすることにより、良好な無線通信路の状態よりも更に良好な無線通信路の状態となった場合に、第一の実施形態による通信システム１よりも多くの情報を受信することができる。
【００５４】
なお、上述の第二の実施形態による通信システム１の処理フローの説明は、第一の実施形態による通信システム１の処理フローと異なる処理ステップを説明した。そのため、ここで説明しなかった処理ステップにおいて、機能部の名称の読み替えや副波を第一の副波と第二の副波に読み替える必要がある。
【００５５】
＜第三の実施形態＞
図１０は、本発明の第三の実施形態による通信システム１が備える送信機１０の変調時および受信機２０の復調時の信号波のイメージの一例を示す図である。
次に、図１０を用いて、第三の実施形態による通信システム１について説明する。
【００５６】
図１０は、本発明の通信システム１を交差偏波無線であるＸＰＩＣ（Ｃｒｏｓｓ  Ｐｏｌａｒｉｚａｔｉｏｎ  Ｉｎｔｅｒｆｅｒｅｎｃｅ  Ｃａｎｃｅｌｌｅｒ）に対して用いた場合の通信システム１の処理のイメージを示している。
第三の実施形態による通信システム１が備える送信機１０は、ＸＰＩＣにおける垂直波であるＶ主波伝送信号とＶ副波伝送信号、水平波であるＨ主波伝送信号とＨ副波伝送信号のそれぞれに対して、第一の実施形態で示した多値変調方式を適用する。そして、第三の実施形態による通信システム１の送信機１０は、交差偏波変換器を用いて合成波を垂直波と水平波に分離する。
ＸＰＩＣでは、受信機２０は、分離した垂直波と水平波との相関に基づいて、異偏波成分を除去する。受信機２０は、異偏波成分を除去した信号波に復調することで第一の実施形態による通信システム１と同様に元のＶ主波伝送信号、Ｖ副波伝送信号、Ｈ主波伝送信号、Ｈ副波伝送信号を生成する。
【００５７】
以上、本発明の第三の実施形態による送信機１０、受信機２０、通信システム１の処理について説明した。上述の送信機１０を備える通信システム１によれば、交差偏波無線であるＸＰＩＣにおいても伝送容量が大きい情報を送受信することができる。
【００５８】
なお、本発明における記憶部は、適切な情報の送受信が行われる範囲においてどこに備えられていてもよい。また、記憶部は、適切な情報の送受信が行われる範囲において複数存在しデータを分散して記憶していてもよい。
【００５９】
なお本発明の実施形態における処理フローは、適切な処理が行われる範囲において、処理の順番が入れ替わってもよい。
【００６０】
なお本発明の実施形態について説明したが、上述の送信機１０および受信機２０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６１】
また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【００６２】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【００６３】
なお、上記の実施形態の一部又は全部は、以下の付記の用にも記載されうるが、以下には限られない。
【００６４】
（付記１）第一のベースバンド信号に基づいて搬送波を多値変調して主波を生成する第一の変調部と、
第二のベースバンド信号に基づいて前記搬送波を多値変調して第一の副波を生成する第二の変調部と、
前記主波と前記第一の副波を重畳して重畳波を生成する重畳部と、
前記重畳波を受信機に無線で送信する送信部と、
前記重畳波から前記主波が前記受信機で復調できるように、前記重畳部に入力される前記第一の副波の振幅を調節する振幅調節部と、
を備える送信機。
【００６５】
（付記２）前記第一の変調部は、前記第一のベースバンド信号に基づいて搬送波を更に振幅変調して主波を生成し、
前記第二の変調部は、前記第二のベースバンド信号に基づいて搬送波を更に振幅変調し第一の副波を生成する
付記１に記載の送信機。
【００６６】
（付記３）第ｍの変調部は、第ｍのベースバンド信号に基づいて搬送波を多値変調して第ｍ−１の副波を生成し、
前記振幅調節部は、第ｎの副波と第ｎ＋１の副波が重畳されても前記第ｎのベースバンド信号に受信機で復調できる振幅に前記第ｎ＋１の副波の振幅を調節する、
前記ｍが２以上の整数であり、ｎが１〜ｍ−１のそれぞれの整数である
付記１または付記２に記載の送信機。
【００６７】
（付記４）第ｍの変調部は、第ｍのベースバンド信号における第ｎの副波伝送信号に基づいて搬送波を振幅変調して更に第ｎの副波を生成し、ベースバンドの第ｎ＋１のベースバンド信号に基づいて搬送波を振幅変調し第ｎ＋１の副波を生成する、
前記ｍが２以上の整数であり、ｎが１〜ｍ−１のそれぞれの整数である
付記１から付記３の何れか一に記載の送信機。
【００６８】
（付記５）前記変調部が変調した主波に、前記Ｃ／Ｉ調節部が調節したｎが１以上の整数である第ｎの副波を重畳して合成波を生成する合成波生成部
を備える付記１から付記４の何れか一に記載の送信機。
【００６９】
（付記６）通信路特性が良い場合に、前記第一の変調部が変調した主波に、前記振幅調節部が調節したｎが１〜ｍ−１の整数であり、前記ｍが２以上の整数である第ｎの副波を重畳して合成波を生成する合成波生成部
付記５に記載の送信機。
【００７０】
（付記７）第一の変調部が変調した主波と第二の変調部が変調した副波との合成波から第一のベースバンド信号に復調する復調部と、
前記復調部が復調した前記第一のベースバンド信号に基づいて前記主波を生成する主波再生部と
を備える受信機。
【００７１】
（付記８）前記主波再生部が推定した前記主波を前記主波と副波との合成波から減じ、副波を生成する副波生成部
を備える付記７に記載の受信機。
【００７２】
（付記９）前記復調部は、前記副波生成部が生成した副波から第二のベースバンド信号に復調する
付記８に記載の受信機。
【００７３】
（付記１０）
付記１から付記６の何れか一に記載の送信機と、
付記７から付記９の何れか一に記載の受信機と、
を備える通信システム。
【００７４】
（付記１１）第一のベースバンド信号に基づいて搬送波を多値変調して主波を生成し、第二のベースバンド信号に基づいて搬送波を多値変調し第一の副波を生成し、
前記主波に前記第一の副波と雑音とが重畳されても前記第一のベースバンド信号に受信機が復調できる振幅に前記第一の副波の振幅を調節する通信方法。
【００７５】
（付記１２）主波と副波との合成波から前記第一のベースバンド信号に復調し、
復調した前記第一のベースバンド信号に基づいて前記主波を生成する通信方法。
【００７６】
（付記１３）第一のベースバンド信号に基づいて搬送波を多値変調して主波を生成し、
第二のベースバンド信号に基づいて前記搬送波を多値変調して第一の副波を生成し、
重畳波から前記主波が受信機で復調できるように、重畳部に入力される前記第一の副波の振幅を調節し、
前記主波と前記第一の副波を重畳して前記重畳波を生成し、
前記重畳波を受信機に無線で送信する通信方法。
【００７７】
（付記１４）送信機のコンピュータを、
第一のベースバンド信号に基づいて搬送波を多値変調して主波を生成する第一の変調手段と、
第二のベースバンド信号に基づいて前記搬送波を多値変調して第一の副波を生成する第二の変調手段と、
前記主波と前記第一の副波を重畳して重畳波を生成する重畳手段と、
前記重畳波を受信機に無線で送信する送信手段と、
前記重畳波から前記主波が前記受信機で復調できるように、前記重畳手段により入力される前記第一の副波の振幅を調節する振幅調節手段
として機能させるプログラム。
【００７８】
（付記１５）受信機のコンピュータを、
第一の変調部が変調した主波と第二の変調部が変調した副波との合成波から第一のベースバンド信号に復調する復調手段と、
前記復調手段により復調した前記第一のベースバンド信号に基づいて前記主波を生成する主波再生手段
として機能させるプログラム。
【符号の説明】
【００７９】
１・・・通信システム
１０・・・送信機
２０・・・受信機
１０１・・・変調部
１０１ａ・・・主変調部、第一の変調部
１０１ｂ・・・副変調部、第二の変調部
１０２・・・Ｃ／Ｉ調節部、振幅調節部
１０３・・・合成波生成部、重畳部
１０４、２０４・・・無線送信部、送信部
１０５、２０５・・・無線受信部、受信部
２０１・・・復調部
２０１ａ・・・主復調部
２０１ｂ・・・副復調部
２０１ｃ・・・第一副復調部
２０１ｄ・・・第二副復調部
２０２・・・主波再生部
２０３・・・副波生成部
２０６・・・第一副波再生部
【図１】
2016001811.tif 000003
【図２】
2016001811.tif 000004
【図３】
2016001811.tif 000005
【図４】
2016001811.tif 000006
【図５】
2016001811.tif 000007
【図６】
2016001811.tif 000008
【図７】
2016001811.tif 000009
【図８】
2016001811.tif 000010
【図９】
2016001811.tif 000011
【図１０】
2016001811.tif 000012